(57)【要約】【課題】  軽量であるので現場での設置及びその回収作業が容易で、しかも衝突時には容易に破裂し、飛散しても事故再発の原因とならず通行車両の安全性を高め、さらにコストも安価することのできる安全標識具を提供することにある。【解決手段】  高速道路、一般道路、その他工事現場で使用する保安用品であって、内部密封状の破裂容易な膨縮袋体２から構成し、使用時には膨縮袋体２の内部に膨張させる空気と重りとして機能する水を注入して、空気圧で所定形状に保持すると共に注入した水で配置箇所に固定状に設置させる。【選択図】        図１
0003114211.tif 000002
【実用新案登録請求の範囲】
【請求項１】
高速道路、一般道路、その他工事現場で使用する保安用品であって、内部密封状の破裂容易な膨縮袋体から構成し、使用時には膨縮袋体の内部に膨張させる空気と重りとして機能する水を注入して、空気圧で所定形状に保持すると共に注入した水で配置箇所に固定状に設置させることを特徴とする安全標識具。
【請求項２】
高速道路、一般道路、その他工事現場で使用する保安用品であって、内部密封状の破裂容易なビニール製膨縮袋体から構成し、使用時にはビニール製膨縮袋体の内部に膨張させる空気と重りとして機能する水を注入して外形が横置型三角柱形状に膨張させ、ビニール製膨縮袋体の膨張状態における外形が横置型三角柱形状の端部の下部に注水口とその上部にエアーバルブとをそれぞれ設け、ビニール製膨縮袋体の膨張状態における外形が横置型三角柱形状の正面に矢印を表示し、空気圧で外形が横置型三角柱形状に保持すると共に注入した水で配置箇所に固定状に設置させることを特徴とする安全標識具。
【考案の詳細な説明】
【技術分野】
【０００１】
本考案は、高速道路、一般道路、その他工事現場で使用する保安用品の安全標識具に係り、特に、膨縮袋体から構成し、空気注入で所定形状に膨張させて保持し、注入した水の重さで動かないようにさせ、衝突時には容易に破裂し飛散しても事故再発の原因とならず、通行車両の安全性を高めた安全標識具に関するものである。
【背景技術】
【０００２】
従来の高速道路、一般道路、その他工事現場で使用する保安用品の安全標識具は、アルミ金属製、グラスファイバー製又はＦＲＰ製の矢印板、ゴム製又は樹脂製のラバーコーンを使用していた。即ち、高速道路等の工事現場では、矢印板を十数枚テーパー状に設置して車線変更を促し、通行帯と工事現場の境界にはラバーコーンを設置し、工事箇所の確保と安全対策を講じていた。
【考案の開示】
【考案が解決しようとする課題】
【０００３】
しかしながら、従来保安用品の矢印板は、通行帯に接して設置する安全標識類に拘らず、一個の製品が高価で、重量も7．5〜8．5キログラムある。通行車両との接触では、矢印板が破損又は飛散するため、速やかな回収を行い事故再発防止に努める必要がある。場合によっては、衝突の通行車両も損傷する。
【０００４】
本考案は、上記のような課題に鑑み、その課題を解決すべく創案されたものであって、その目的とするところは、軽量であるので現場での設置及びその回収作業が容易で、しかも衝突時には容易に破裂し、飛散しても事故再発の原因とならず通行車両の安全性を高め、さらにコストも安価することのできる安全標識具を提供することにある。
【課題を解決するための手段】
【０００５】
以上の目的を達成するために、請求項１の考案は、高速道路、一般道路、その他工事現場で使用する保安用品であって、内部密封状の破裂容易な膨縮袋体から構成し、使用時には膨縮袋体の内部に膨張させる空気と重りとして機能する水を注入して、空気圧で所定形状に保持すると共に注入した水で設置箇所に係止させる手段よりなるものである。
【０００６】
また、請求項２の考案は、高速道路、一般道路、その他工事現場で使用する保安用品であって、内部密封状の破裂容易なビニール製膨縮袋体から構成し、使用時にはビニール製膨縮袋体の内部に膨張させる空気と重りとして機能する水を注入して外形が横置型三角柱形状に膨張させ、ビニール製膨縮袋体の膨張状態における外形が横置型三角柱形状の端部の下部に注水口とその上部にエアーバルブとをそれぞれ設け、ビニール製膨縮袋体の膨張状態における外形が横置型三角柱形状の正面に矢印を表示し、空気圧で外形が横置型三角柱形状に保持すると共に注入した水で設置箇所に係止させる手段よりなるものである。
【考案の効果】
【０００７】
以上の記載より明らかなように、本考案に係る安全標識具によれば、膨縮袋体から構成される安全標識具の内部に空気を注入して膨張させてその空気圧で所定形状に保持でき、重りとして機能する水を注入することで、水の重さを利用して現場の配置箇所に一時的に移動しないように固定状に設置することができ、安全標識具として使用可能にすることができる。
しかも、安全標識具は空気と一時的に動かないように固定状に設置させるための水と破裂容易な膨縮袋体からなり、従来保安用品の矢印板に比べて軽量であるため、現場への据え付け及び現場からの回収作業も容易となる。また、安全標識具の保管収納に当たっては、内部の空気と水を排出するのみで収縮しさらに軽量になってコンパクトになるため、従来保安用品に比べて場所をとることもなく、保管のためのスペースも小さくて済み、その管理が容易となる。
さらに、安全標識具の膨縮袋体は破裂容易であるため、通行車両が安全標識具に衝突した場合には容易に破裂して通行車両が損傷するのを防ぐことができる。また、破裂により飛散する安全標識具は破れた膨縮袋体の断片と内部の水であるため、従来保安用品の矢印板の破片のように通行車両の障害物になることもなく、事故再発の原因となることもない。さらにまた、この破裂音が異変を促し、運転手のブレーキ操作と工事現場の安全につながり、接触の通行車両が損傷することはない。これにより、本考案の安全標識具は、従来保安用品に比べて通行車両の安全性を高めることができる。
加えて、破裂容易な膨縮袋体は従来保安用品の矢印板に比べて安価な材料で作ることが可能で、製品コストを従来製品に比べて安価することができ経済的である。
このように、本考案によれば、同一の保安用品による多様性と安全性が確保される。特に、衝突により飛散しても事故再発の防止となるほか、通行車両に損傷を与えない保安用品であり、取り扱い、経済性の面でも優れている等種々の効果を奏する。
【０００８】
また、請求項２の場合には、前記の効果と共に、特に、従来保安用品の矢印板に較べて、薄いビニール系の保安用品とし、矢印板の機能を確保するため、製品内部に水と空気を注入して、ビニール面に矢印を表示、例えば２〜４リットルの注水によって現場で移動しないようにでき、形状は空気圧で外形が横置型三角柱形状に保つことができる。特に、安全標識具は、横置型三角柱形状に保たれるので、その正面に表示された矢印は通行車両から容易に視認でき、車線変更等の誘導機能を十分に発揮することができる。また、薄いビニール系のため、通行車両との接触又は乗り上げても、風船のように破裂し、飛散しても事故再発の原因となることもない。
【考案を実施するための最良の形態】
【０００９】
以下、図面に記載の考案を実施するための最良の形態に基づいて、本考案をより具体的に説明する。
ここで、図１は安全標識具の斜視図、図２（Ａ）は安全標識具の正面図、図２（Ｂ）は安全標識具の側面図、図３は安全標識具の正面図である。
【００１０】
図において、安全標識具１は、高速道路、一般道路、その他工事現場で使用される保安用品の一種で、内部密封状の破裂容易な膨縮袋体２、例えばビニール製膨縮袋体から構成されている。安全標識具１はその内部に空気が注入されることにより膨張して所定形状、例えば外形が横置型三角柱形状になり、空気圧によってその形状が保持される。
【００１１】
また、安全標識具１はその内部に重りとして機能する水が注入される。安全標識具１は水の重さを利用して、突風や通行車両の走行風によって吹き飛ばされたり移動したりするのが防がれている。
【００１２】
安全標識具１は、通行車両が衝突した場合、通行車両に損傷を与えないように簡単に破裂し、又破裂して飛散した場合に、事故再発の原因とならないように、更にその飛散した断片の回収が容易になるように、薄くて硬くない膨縮袋体２、例えばビニール製膨縮袋体が使用される。
【００１３】
破裂して飛散した膨縮袋体２の断片は薄くて硬くないため、通行車両は容易に膨縮袋体２の断片を乗り越えることができ、また、安全標識具１の内部は空気と水であるため、衝突の際に安全標識具１から衝撃によって傷ついたりすることがなく、破裂して飛散した安全標識具１の一部が通行車両の事故再発の原因となることはない。
【００１４】
膨縮袋体２例えばビニール製膨縮袋体の膨張状態における外形が横置型三角柱形状の端部の下部には注水口３が設けられ、又その上部にはエアーバルブ４が設けられている。注水口３は安全標識具１の内部への水の注入及び内部からの水の排出に使用される。注水口３には蓋が取り付けられる。エアーバルブ４は安全標識具１の内部への空気の注入及び内部からの空気の排出に使用される。
【００１５】
横置型三角柱形状の端部には注水口３とエアーバルブ４とがそれぞれ別個に設けられているため、収縮状態の安全標識具１を使用状態に膨らませて内部に水を注入する場合、水の注入と空気の注入を別々の注水口３とエアーバルブ４とを同時に使用することで、注入口３が１個の場合に比べて、短時間で行うことができ、作業能率を高めることができる。
【００１６】
これは、使用時の膨らんでいた安全標識具１を収縮させて保管する場合も同様である。即ち、水の排出と空気の排出を別々の注水口３とエアーバルブ４とを同時に使用することで、注入口が１個の場合に比べて、短時間で行うことができ、保管作業能率を高めることができる。
【００１７】
なお、必要に応じて、別々の注水口３とエアーバルブ４とを一体にした１個のものでもよい。また、常時使用する場合は、安全標識具１は、一定の水と空気を注入した状態で保管される。
【００１８】
安全標識具１は、前記したよう、空気圧で例えば外形が横置型三角柱形状に膨らみ、この場合、三角形の断面形状は、底辺幅に比べて高さが例えば２倍前後である二等辺三角形になる。二等辺三角形であるため、安全標識具はその幅方向は左右対称型となり安定する。また、横置型三角柱形状の長さは例えば底辺幅の３倍前後であり、設置の安定性とバリケードとして利用できる形状になっている。
【００１９】
さらに、安全標識具１の横置型三角柱形状は、前記のように、底辺幅に比べて高さが例えば２倍前後であるため、横置型三角柱形状の正面の傾斜は急傾斜となり、急傾斜する正面に表示される矢印５は通行車両から見えやすくなる。
【００２０】
安全標識具１の横置型三角柱形状の正面に表示される矢印５は、図１、図２に図示する形状以外に例えば図３に図示するゼブラ表示も含まれる。矢印５として機能する形状であれば、特にその形状は限定されない。また、正面の矢印５には、夜でも通行車両から容易に視認できるように例えば蛍光塗料が塗布されることもある。
【００２１】
次に、上記考案を実施するための最良の形態の構成に基づく使用について以下説明する。
各安全標識具１は、保管場所で空気と水が注入されて所定形状の例えば横置型三角柱形状に膨張させられる。空気の注入はエアーバルブ４を通じて行われる。水の注入は注水口３を通じて行われる。そして、例えばの横置型三角柱形状の所定形状になった安全標識具１は、必要とされる現場に運搬される。
【００２２】
運搬された安全標識具１は、現場にて定められた所定の位置に配置されたり、車線規制等の場合はライン上に沿ってバリケードとして配置される。各安全標識具１はその内部に注入された水の重さを利用して、所定位置で動かないように固定状に設置されることになる。
【００２３】
配置された現場では通行車両による走行風が作用することになるが、内部に注入された水によって各安全標識具１は固定状に設置され移動することがない。設置する現場の状況又は設置期間によっては、注水量を増やし連続的な固定状の設置が可能となる。
【００２４】
また、例えば横置型三角柱形状からなる安全標識具１は、二等辺三角形の幅が広い底辺側に重りの機能を有する水が注入されているため、重心位置が底辺近くになり、走行風が作用しても幅方向に簡単に転倒するのが防がれている。
【００２５】
さらに、例えば横置型三角柱形状からなる安全標識具１は、底辺幅に比べてその高さが約２倍前後あるため、正面の傾斜は急傾斜となり、正面に表示された矢印５は通行車両から十分に確認でき、矢印５によって安全に誘導されることになる。
【００２６】
現場に配置された安全標識具１に通行車両が衝突した場合には、安全標識具１の膨縮袋体２は破裂容易な材料、例えばビニール製であるため、簡単に破裂する。安全標識具１が簡単に破裂するために、衝突した通行車両には大きな破裂音と小さな衝撃しか作用せず、安全標識具１への衝突に伴う通行車両の損傷が防がれる。
【００２７】
また、通行車両が衝突した際には、安全標識具１が破裂して膨縮袋体２の断片が飛散することになるが、膨縮袋体２が例えばビニール製の場合には薄いビニール片の断片であるため、通行車両は容易にこの薄いビニール製の上を殆ど影響を受けることなく走行できる。このとき、同時に安全標識具１の内部の水も飛散することになるが、飛散する水は通行車両の妨げになることはない。
【００２８】
さらに、安全標識具１が破裂する場合には破裂音が周囲に響くために、工事現場の作業員及び後続車両の運転手には警報として聞こえて注意力を喚起させることになる。その結果、工事現場の安全につながり、また、安全標識具１に衝突した車両への後続車両による追突事故を大幅に減らすことが可能になる。
【００２９】
現場完了時には、各安全標識具１を車両上に回収して運搬する。この場合、各安全標識具１は従来保安用品に比べて軽いので、回収作業も容易となる。常時使用する場合には回収された安全標識具１は水と空気を注入した状態で保管される。常時は使用されない場合には、水と空気を排出して縮小した状態で安全標識具１は保管される。
【００３０】
なお、本考案は上記考案を実施するための最良の形態に限定されるものではなく、本考案の精神を逸脱しない範囲で種々の改変をなし得ることは勿論である。
【図面の簡単な説明】
【００３１】
【図１】本考案を実施するための最良の形態を示す安全標識具の斜視図である。
【図２】（Ａ）は本考案を実施するための最良の形態を示す安全標識具の正面図である。  （Ｂ）は本考案を実施するための最良の形態を示す安全標識具の側面図である。
【図３】本考案を実施するための最良の形態を示す安全標識具の正面図である。
【符号の説明】
【００３２】
１    安全標識具
２    膨縮袋体
３    注水口
４    エアーバルブ
５    矢印
【図１】
0003114211.tif 000003
【図２】
0003114211.tif 000004
【図３】
0003114211.tif 000005